(57)【要約】【課題】吸込具の紛失がなく、交換が容易で、小形な電気掃除機を提供する。【解決手段】本電気掃除機は、掃除機本体と、握り管部が設けられた集塵ホースと、握り管部に接続した延長管に着脱自由に接続された吸込口体１５とを備え、握り管部には、吸込具として少なくとも隙間ノズル、丸ブラシ、家具ブラシを収納し、握り管部の延び方向に、握り空間を形成するように延びる付属品ホルダーが設けられる。【選択図】  図９
2010005290.tif 000002
【特許請求の範囲】
【請求項１】
掃除機本体と、この掃除機本体の接続口に一端が着脱自由に接続され、他端に握り管部が設けられた集塵ホースと、前記握り管部に接続した延長管と、この延長管の先端部に着脱自由に接続された吸込口体とを備え、
前記握り管部には、吸込具として少なくとも隙間ノズル、丸ブラシ、家具ブラシを収納し、前記握り管部の延び方向に、握り空間を形成するように延びる付属品ホルダーが設けられることを特徴とする電気掃除機。
【請求項２】
前記付属品ホルダーは略Ｌ字状をなし、その両端部で前記握り管部に連設されると共に前記Ｌ字状の短辺部には、丸ブラシが収容され、前記Ｌ字状の長辺部には、長辺部に沿って家具ブラシと隙間ノズルが収容されかつ、
この隙間ノズルの一部が前記家具ブラシの管状部に挿入された状態で収容されることを特徴とする請求項１に記載の電気掃除機。
【請求項３】
前記家具ブラシは、単独で付属品ホルダーに保持されることを特徴とする請求項１または２に記載の電気掃除機。
【発明の詳細な説明】
【技術分野】
【０００１】
本発明は電気掃除機に係り、特に集塵ホースに連なる握り管部に付属品ホルダーを設けた電気掃除機に関する。
【背景技術】
【０００２】
一般に電気掃除機は、集塵ホースに取り付ける吸込具として、床面の塵埃を除去する床ブラシを多く用いるが、掃除場所に応じて最適な吸込具が用いられる。
【０００３】
この種の吸込具には、床ブラシの他、窓枠の敷居溝あるいは家具と壁との間の隙間の塵埃を吸い込むために用いられる隙間ノズル、障子の桟あるいは箪笥等の上の塵埃を除去する吸込開口の周縁部にブラシ毛を設けた丸ブラシ、さらに、主として欧米で家具掃除に用いられ、細長ロ字形状で小形の家具ブラシなどがある。
【０００４】
電気掃除機がしまわれるとき、延長管の一端に取り付けられた状態でしまわれる床ブラシと異なり、床ブラシ以外の吸込具は、掃除機本体とは別個の収納容器に入れてしまわれる。
【０００５】
そのため、これらの吸込具を往往にして紛失することがあり、また、使いたい時に使用者の身近にないため、床ブラシと交換して、これらの吸込具を使用するのが、不便であった。
【０００６】
そこで、これら吸込具を掃除機本体内に収容する電気掃除機が提案されている（例えば、特許文献１参照）。
【０００７】
しかしながら、特許文献１に記載の電気掃除機は、掃除機本体が大型になり、かつ風路の設計に制約が生じるなどの問題がある。
【０００８】
また、隙間ブラシを握り管部に着脱自由に取り付けた電気掃除機が提案されている（例えば、特許文献２参照）。
【０００９】
しかしながら、特許文献２の電気掃除機は、隙間ブラシを直接握り管部に取り付けるものであり、多くの吸込具を取り付けることができない。
【００１０】
さらに、特許文献３には、延長管の途中に丸ブラシを設けておき、床ブラシと丸ブラシを選択的に使用する電気掃除機が提案されている。
【００１１】
しかしながら、特許文献３に記載の電気掃除機は、延長管に丸ブラシを取り付けるものであり、多くの吸込具を取り付けることができない。
【特許文献１】特開平４−３６１７２３号公報
【特許文献２】特開２０００−７０１８７号公報
【特許文献３】特開２００６−６６３２３号公報
【発明の開示】
【発明が解決しようとする課題】
【００１２】
本発明は上述した事情を考慮してなされたもので、吸込具の紛失がなく、交換が容易で、小形な電気掃除機を提供することを目的とする。
【課題を解決するための手段】
【００１３】
上述した目的を達成するため、本発明に係る電気掃除機は、掃除機本体と、この掃除機本体の接続口に一端が着脱自由に接続され、他端に握り管部が設けられた集塵ホースと、前記握り管部に接続した延長管と、この延長管の先端部に着脱自由に接続された吸込口体とを備え、前記握り管部には、吸込具少なくとも隙間ノズル、丸ブラシ、家具ブラシを収納し、前記握り管部の延び方向に、握り空間を形成するように延びる付属品ホルダーが設けられることを特徴とする。
【発明の効果】
【００１４】
本発明に係る電気掃除機によれば、吸込具の紛失がなく、交換が容易で、小形な電気掃除機を提供することができる。
【発明を実施するための最良の形態】
【００１５】
本発明の一実施形態に係る電気掃除機について図面を参照して説明する。
【００１６】
図１は、本発明の一実施形態に係る電気掃除機の斜視図である。
【００１７】
図１に示すように、電気掃除機１は、掃除機本体２と、この掃除機本体２に一端が着脱自由に接続されその他端には握り管部３が設けられている集塵ホース４と、握り管部３に着脱自由に接続された延長管５と、延長管５の先端部５ａに着脱自由に接続された床ブラシ（吸込口体）６とを備える。
【００１８】
図２に示すように、掃除機本体２は本体ケース１１を備え、この本体ケース１１には、集塵ホース４が着脱自由に接続される吸込口１１Ａが設けられ、さらに、この吸込口１１Ａに連通して、着脱自由に集塵ユニット１２が収容され、この集塵ユニット１２の下流側には、電動送風機１３が収容される。
【００１９】
集塵ユニット１２は、第１の塵埃除去手段と第２の塵埃除去手段からなる塵埃分離手段を備え、第１の塵埃除去手段１４は、高速で流れる空気中に含まれる塵埃を慣性力で分離する慣性分離方式を採用し、塵埃分離部１４Ａ、集塵部およびネットフィルタ（いずれも図示せず）を備え、第２の塵埃分離手段として、塵埃分離部１４Ａと一体に設けるプリーツフィルタ１４Ｂとから構成され、このプリーツフィルタ１４Ｂは上流側に山部が形成され、収納ケース１５に収納される。
【００２０】
図３ないし図５に示すように、一方、握り管部３の上面には操作部３Ａが設けられ、この操作部３Ａには複数の操作スイッチ３ａが設けられる。
【００２１】
さらに、握り管部３の下面側には、吸込具を収納する断面半円状で略Ｌ字形状の付属品ホルダー１６が、握り空間Ｓを形成するように着脱自由に取り付けられる。
【００２２】
この付属品ホルダー１６の握り管部３への取り付けは、Ｌ字形状の握り管部３と直交する方向に延びる短辺部１７と、握り管部３の延び方向に延びる長辺部１８の端部間で行なわれ、握り管部３の前側下面に突設された係合突起（図示せず）に、付属品ホルダー１６の先端に設けた係合溝（図示せず）を係合し、付属品ホルダー１６の後端に設け弾性を備えた断面円弧状の係合保持部１６ａを握り管部３の大径部３ｂに、弾性を利用して保持される。この状態で、付属品ホルダー１６に設けた断面円弧状で細長板状の受け片１６ｂと、この受け片１６ｂに離間して設けられ、この受け片１６ｂより小さな小受け片１６ｃが握り管部３に当接する。
【００２３】
従って、握り管部３の把持時、受け片１６ｂも握られ、付属品ホルダー１６は安定的に握り管部３への取り付け状態を保つ。
【００２４】
付属品ホルダー１６に収納される吸込具は少なくとも隙間ノズル、丸ブラシ及び家具ブラシである。
【００２５】
図６に示すように、隙間ノズル２１は、中空状で開口部２１ａが設けられた一端で延長管５の先端部５ａに着脱自由に接続され、扁平形状の他端に吸込開口２１ｂが設けられ、窓枠の敷居溝あるいは家具と壁との間の隙間の塵埃を吸い込むために用いられる。
【００２６】
図７に示すように、丸ブラシ２２は、中空状で開口部２２ａが設けられた一端で先端部５ａに着脱自由に接続され、他端に扁平リング状の吸込開口２２ｂが設けられ、さらに、この吸込開口２２ｂの周囲には例えば馬毛２２ｃが植毛され、障子の桟あるいは箪笥等の上の塵埃を除去する。
【００２７】
図８に示すように、家具ブラシ２３は、中空状で開口部２３ａが設けられた一端で先端部５ａに着脱自由に接続され、末広がりの扁平形状の他端に細長長方形状の吸込開口２３ｂが設けられ、家具掃除に用にいられる。
【００２８】
上記構造を有する吸込具は次のようにして、付属品ホルダー１６に収納される。
【００２９】
図９および図１０に示すように、付属品ホルダー１６のＬ字状の短辺部１７には、半円状部１７ａによって形成される収納部１７ｂから突出する管状突部１７ｃが設けられ、この管状突部１７ｃには、この管状突部１７ｃの外径よりも僅かに大きい内径を備えた丸ブラシ２２の管状部２２ｄが着脱可能に挿入され、丸ブラシ２２は収納部１７ｂに収容される。
【００３０】
丸ブラシ２２は短辺部１７に設ける収納部１７ｂに収容されるので、長辺部１８に収容される隙間ノズル２１及び家具ブラシ２３に関わりなく、丸ブラシ２２の収納、取り出しを行なうことができる。
【００３１】
また、付属品ホルダー１６のＬ字状の長辺部１８には、半円状部１７ａの両内面に沿って先狭の収納間隙１８ａが形成されるように支持部１８ｂが突設され、収納間隙１８ａに隙間ノズル２１が収納され、支持部１８ｂにより支持されて落下が防がれる。
【００３２】
さらに、長辺部１８の先端近傍の半円状部１７ａは切欠されてブラシ収納凹部１８ｃが形成され、このブラシ収納凹部１８ｃに家具ブラシ２３が収納される。
【００３３】
再び図３および図４に示すように、家具ブラシ２３のブラシ収納凹部１８ｃでの保持は、ブラシ収納凹部１８ｃの先端から後方方向（収納間隙側）に突出する係止部１８ｄに家具ブラシ２３の吸込開口部２３ｂを係止し、開口部２３ａ側の管状部２３ｃをブラシ収納凹部１８ｃの後端に存する半円状部１７ａにより弾性的に保持することで行なわれる。
【００３４】
家具ブラシ２３の取り外しは、管状部２３ｃの半円状部１７ａにより弾性的保持を解除して開口部２３ａを下げ、係止部１８ｄと吸込開口２３ｂとの係止を外すことで行なう。
【００３５】
図１１に示すように、隙間ノズル２１および家具ブラシ２３が付属品ホルダー１６に収納された状態では、隙間ノズル２１の先端部近傍が家具ブラシ２３の管状部２３ｃに挿入され、これら全体の長さを減じることができ、隙間ノズル２１が邪魔になって掃除性を低下させることがなく、また、付属品ホルダー１６を小型にできる。
【００３６】
また、隙間ノズル２１を使用する場合には、隙間ノズル２１を管状部２３ｃから抜き去っても、家具ブラシ２３は係止部１８ｄおよび半円状部１７ａによりブラシ収納凹部１８ｃに保持される。
【００３７】
次に本発明の電気掃除機の使用方法について説明する。
【００３８】
図１および図２に示すように、通常の使用時には、延長管５に床ブラシ６が取り付けられている。
【００３９】
この状態で、握り管部３に取り付けた付属品ホルダー１６には、吸込具としての隙間ノズル２１、丸ブラシ２２及び家具ブラシ２３が収納されている。
【００４０】
はじめに、延長管５に床ブラシ６が取り付けられた状態で床面を掃除する。
【００４１】
電動送風機１３の回転により生じる負圧により、床ブラシ６から吸い込まれた塵埃を含む空気は、延長管５、握り管部３および着集塵ホース４、吸込口１１Ａを介して集塵ユニット１２に吸い込まれ、第１の塵埃除去手段１４とプリーツフィルタ１４Ｂで除塵される。
【００４２】
床面の掃除終了後、障子の桟あるいは箪笥等の上の掃除をする。そのために、床ブラシ６を延長管５から取り外し、図９に示すように、付属品ホルダー１６に収容されている丸ブラシ２２を取り外し、延長管５に取り付けて障子の桟等の上の掃除をする。
【００４３】
このとき、丸ブラシ２２は付属品ホルダー１６に収容されているので、丸ブラシ２２を探す必要がなく、迅速かつ容易に丸ブラシ２２を使用することができる。
【００４４】
また、障子の桟等の上の掃除終了後、窓枠の敷居溝あるいは家具と壁との間の隙間を掃除する場合には、丸ブラシ２２を延長管５から外して、図１０に示すように、付属品ホルダー１６に収容し、図９に示す付属品ホルダー１６から隙間ノズル２１を取り外して、延長管５に取り付けて窓枠の敷居溝あるいは家具と壁との間の隙間を掃除する。
【００４５】
このとき、隙間ノズル２１は先狭の収納間隙１８ａに収納、支持されているので、容易に取り外しができ、また、家具ブラシ２３に一部挿入された隙間ノズル２１を取り外しても、家具ブラシ２３は付属品ホルダー１６に収容された状態を保つ。
【００４６】
さらに、枠の敷居溝あるいは家具と壁との間の隙間の掃除終了後、家具を掃除する場合には、図９に示す付属品ホルダー１６から家具ブラシ２３を外して、その後、延長管５に取り付けられた隙間ノズル２１を外して、図１０に示すように、隙間ノズル２１を付属品ホルダー１６に収容し、付属品ホルダー１６から外されている家具ブラシ２３を延長管５に取り付ける。
【００４７】
しかる後、家具を掃除する。
【００４８】
家具掃除終了後、家具ブラシ２３を延長管５から取り外し、付属品ホルダー１６に収容する。このとき、付属品ホルダー１６に収容されている隙間ノズル２１を一旦取り外し、家具ブラシ２３を付属品ホルダー１６に収容した後、再び隙間ノズル２１を図１１に示すように、隙間ノズル２１の先端部近傍が家具ブラシ２３の管状部２３ｃに挿入された状態で、付属品ホルダー１６に収容する。
【００４９】
一般に隙間ノズル２１の方が、家具ブラシ２３より使用頻度が多いので、家具ブラシ２３に影響されず、隙間ノズル２１を取り外し可能にすることで、使い勝手が向上する。
【００５０】
上記のような吸込具を用いた掃除終了後、床ブラシ６を延長管５に取り付け、電気掃除機１を所定の場所に格納する。
【００５１】
電気掃除機１を用いた掃除時および不使用時、隙間ノズル２１、丸ブラシ２２及び家具ブラシ２３が付属品ホルダー１６に収容されているので、紛失することがなく、身近にあり吸込具の交換が容易である。
【００５２】
また、吸込具を握り管部３に設けた付属品ホルダー１６に収納するので、掃除機本体内に収納する従来と異なり、掃除機本体を小型にすることができる。
【００５３】
本実施形態の電気掃除機によれば、吸込具の紛失がなく、交換が容易で、小形な電気掃除機が実現する。
【図面の簡単な説明】
【００５４】
【図１】本発明の一実施形態に係る電気掃除機の斜視図。
【図２】本発明の一実施形態に係る電気掃除機の掃除機本体に縦断面図。
【図３】本発明の一実施形態に係る電気掃除機に用いる付属品ホルダーを握り管部に設けた状態を示す斜視図。
【図４】本発明の一実施形態に係る電気掃除機に用いる付属品ホルダーを握り管部に設けた状態を示す側面図。
【図５】本発明の一実施形態に係る電気掃除機に用いる付属品ホルダーの側面図。
【図６】本発明の一実施形態に係る電気掃除機に用いる隙間ノズルの斜視図。
【図７】本発明の一実施形態に係る電気掃除機に用いる丸ブラシの斜視図。
【図８】本発明の一実施形態に係る電気掃除機に用いる家具ブラシの斜視図。
【図９】本発明の一実施形態に係る電気掃除機に用いる付属品ホルダーに吸込具を収納した状態を示す斜視図。
【図１０】本発明の一実施形態に係る電気掃除機に用いる付属品ホルダーに吸込具を収納する状態を示す斜視図。
【図１１】本発明の一実施形態に係る電気掃除機に用いる家具ブラシと隙間ノズルの挿入状態を示す斜視図。
【符号の説明】
【００５５】
１  電気掃除機
２  掃除機本体
３  握り管部
３Ａ  操作部
３ａ  操作スイッチ
３ｂ  大径部
４  集塵ホース
５  延長管
５ａ  先端部
６  床ブラシ（吸込口体）
１１  本体ケース
１１Ａ  吸込口
１２  集塵ユニット
１３  電動送風機
１４  第１の塵埃除去手段
１４Ａ  塵埃分離部
１４Ｂ  プリーツフィルタ
１５  収納ケース
１６  付属品ホルダー
１６ａ  係合保持部
１６ｂ  受け片
１６ｃ  小受け片
１７  短辺部
１７ａ  半円状部
１７ｂ  収納部
１７ｃ  管状突部
１８  長辺部
１８ａ  収納間隙
１８ｂ  支持部
１８ｃ  ブラシ収納凹部
１８ｄ  係止部
２１  隙間ノズル
２１ａ  開口部
２１ｂ  吸込開口
２２  丸ブラシ
２２ａ  開口部
２２ｂ  吸込開口
２２ｃ  馬毛
２２ｄ  管状部
２３  家具ブラシ
２３ａ  開口部
２３ｂ  吸込開口
２３ｃ  管状部
Ｓ  握り空間
【図１】
2010005290.tif 000003
【図２】
2010005290.tif 000004
【図３】
2010005290.tif 000005
【図４】
2010005290.tif 000006
【図５】
2010005290.tif 000007
【図６】
2010005290.tif 000008
【図７】
2010005290.tif 000009
【図８】
2010005290.tif 000010
【図９】
2010005290.tif 000011
【図１０】
2010005290.tif 000012
【図１１】
2010005290.tif 000013